(57)【要約】【課題】動画や静止画を撮像する撮像システムにおいて、撮影者に煩雑な操作を要求することなく、より最適な画像処理方法を選択できるようにする。【解決手段】被写体から入射した光を撮像信号Ｓ１として出力するイメージセンサ５３（固体撮像装置）を有した撮像システムにおいて、撮像信号Ｓ１に信号処理を行ったＹＣ信号Ｓ２（画像信号）を生成するデジタル信号処理回路１０（信号処理部）を設ける。また、撮像シーンを推定するための推定用情報を取得する外部情報インターフェース７０（情報取得部）を設ける。そして、ＣＰＵ２０（制御部）によって、推定用情報を用いて撮像シーンを推定し、撮像の制御、及びデジタル信号処理回路１０における信号処理の制御の少なくとも１つを行う。【選択図】図１
2011160026.tif 000002
【特許請求の範囲】
【請求項１】
被写体から入射した光を撮像信号として出力する固体撮像装置を有した撮像システムにおいて、
前記撮像信号に信号処理を行った画像信号を生成する信号処理部と、
撮像シーンを推定するための推定用情報を取得する情報取得部と、
を備え、
前記推定用情報を用いて前記撮像シーンを推定し、推定した撮像シーンに応じて撮像の制御、及び前記信号処理部における信号処理の制御の少なくとも一方の制御を行うことを特徴とする撮像システム。
【請求項２】
請求項１の撮像システムにおいて、
前記推定用情報を解析し、前記信号処理部の動作を制御する制御信号を生成する制御部を備え、
前記信号処理部は、前記制御信号により前記画像処理方法を選択することを特徴とする撮像装置。
【請求項３】
請求項１又は請求項２の撮像システムにおいて、
前記推定用情報は、位置情報、日時情報、天候情報、及び温度情報の少なくとも１つであることを特徴とする撮像システム。
【請求項４】
請求項１又は請求項２の撮像システムにおいて、
前記制御部は、撮影時点、前記推定用情報が該撮像システムの外部から通知された時点、所定の周期的な間隔、該撮像システムに供給される電源を交換した時点、該撮像システムに外部電源を接続した時点、前記撮像データを再生した時点、及び前記撮像データを該撮像システムの外部に移動した時点の少なくとも１つのタイミングで、該推定用情報を該撮像システムに反映することを特徴とする撮像システム。
【請求項５】
請求項１又は請求項２の撮像システムにおいて、
前記撮像の制御は、前記固体撮像装置の駆動方法、前記固体撮像装置上の欠陥画素の検出、前記欠陥画素の補正、露光量、ＩＳＯ感度、シャッタスピード、レンズの絞り値、補助発光装置の発光、レンズの合焦、暗電流レベルの推定、暗電流成分の補正、照明光色温度の推定、照明光色温度の補正、前記信号処理部が使用する画像処理用のパラメータ画像信号生成処理用のパラメータ、前記画像信号のノイズリダクション用のパラメータ、撮影タイミング、撮影回数、被写体認識、撮像データの保存、及び撮像データを保存する際の圧縮率のうちの少なくとも一つであることを特徴とする撮像システム。
【請求項６】
請求項１又は請求項２の撮像システムにおいて、
前記画像信号は、輝度信号、色差信号、色信号、及び前記固体撮像装置に入射した光に応じたレベル出力のうちの少なくとも１つであることを特徴とする撮像システム。
【請求項７】
請求項１から請求項６のうちの何れか１つの撮像システムにおいて、
前記制御部は、前記推定用情報を用いて前記制御を行う第１の動作モードと、前記推定用情報を用いずに前記制御を行う第２の動作モードとを備え、前記第１の動作モードと前記第２の動作モードの切り替えが可能であることを特徴とする撮像システム。
【請求項８】
請求項１から請求項７のうちの何れか１つの撮像システムにおいて、
前記情報取得部は、前記推定用情報を、全地球測位システム、時計、カレンダー、インターネット、及び通信先の基地局のうちの少なくとも１つから得ることを特徴とする撮像システム。
【発明の詳細な説明】
【技術分野】
【０００１】
本発明は、動画や静止画を撮像する撮像システムに関し、特に撮像システムの画像処理や撮像の制御に関するものである。
【背景技術】
【０００２】
デジタルカメラ等の撮像システムでは、撮像した画像（静止画、又は動画）に対して、同時化、フィルタリング処理、周波数補正等の画像処理が行われることが多い。そして、より好ましい画像出力（例えば表示など）を得るために、画像処理方法の選択方法が種々提案されている。例えば、画像調整用メニュー画面に複数の言語または地域を表示し、その言語または地域を選択することにより、その言語または地域に対応する肌色に合った色合の初期値を自動設定するようにしたものがある（例えば特許文献１を参照）。また、入力画像から被写体人物の肌の色を特定し、予め実施される統計結果に基づいた近似式にこの肌の色を代入することにより、被写体人物の肌の色から正常な瞳の色成分を推定するものや（例えば、特許文献２を参照）、ユーザがスイッチによって画像処理方法を切替えられるようにしたものがある（例えば、特許文献３を参照）。
【先行技術文献】
【特許文献】
【０００３】
【特許文献１】特開平１１−２０２８４４
【特許文献２】特開２００５−１５８０３３
【特許文献３】特許第３０４７４４８号
【発明の概要】
【発明が解決しようとする課題】
【０００４】
しかしながら、文化圏によって好まれる画質（色再現など）は異なる傾向があるので、特許文献１に記載されているように言語を設定しても、その言語を使用する地域（国など）が特定の文化圏に限定されない場合には、適切な画像処理方法が選択されず、好ましい画像処理結果が得ることができない可能性がある。例えば言語として「英語」を選択した場合でも、英語圏のユーザは特定の文化圏に限定されない。また、より適切に画像処理方法を選択するためには、より多くの地域を画像調整用メニュー画面に表示する必要があり、表示された多くのメニュー項目（地域）からユーザが適切なものを選択するのは煩雑な作業である。また、特許文献２に記載されているように、入力画像から被写体人物の肌の色を特定するのでは、撮影条件（例えば照明光色温度等）によっては正しい推定が行われず、適切な画像処理の方法が選択されない可能性がある。また、特許文献３に記載されているように、撮像時にユーザが一々スイッチによって画像処理方法を切替えるのでは煩雑である。
【０００５】
本発明は上記の問題に着目してなされたものであり、動画や静止画を撮像する撮像システムにおいて、撮影者に煩雑な操作を要求することなく、より最適な画像処理方法を選択できるようにすることを目的としている。
【課題を解決するための手段】
【０００６】
上記の課題を解決するため、本発明の一態様は、
被写体から入射した光を撮像信号として出力する固体撮像装置を有した撮像システムにおいて、
前記撮像信号に信号処理を行った画像信号を生成する信号処理部と、
撮像シーンを推定するための推定用情報を取得する情報取得部と、
前記推定用情報を用いて前記撮像シーンを推定し、推定した撮像シーンに応じて撮像の制御、及び前記信号処理部における信号処理の制御の少なくとも一方の制御を行う制御部と、
を備えたことを特徴とする。
【０００７】
この構成では、情報取得部が取得した推定用情報に基づいて、制御部が撮像シーンを推定し、その推定結果に基づいて信号処理部での信号処理を制御する。すなわち、本発明では、撮影者が画像処理方法を選択する必要がない。また、制御部によって、撮像シーンに応じた画像処理方法が選択されるので、撮影者にとって好ましいと考えられる画像処理結果を得ることが可能になる。
【発明の効果】
【０００８】
以上のように、本発明によれば、撮影者に煩雑な操作を要求することなく、より最適な画像処理方法を選択することが可能になる。
【図面の簡単な説明】
【０００９】
【図１】図１は、本発明の実施形態１に係るデジタルビデオカメラの構成を示すブロック図である。
【発明を実施するための形態】
【００１０】
以下、本発明の実施形態について図面を参照しながら説明する。なお、以下の実施形態は、本質的に好ましい例示であって、本発明、その適用物、あるいはその用途の範囲を制限することを意図するものではない。また、以下の各実施形態や変形例の説明において、一度説明した構成要素と同様の機能を有する構成要素については、同一の符号を付して説明を省略する。
【００１１】
《発明の実施形態１》
〈概要〉
本発明の撮像システムは、動画用の撮像システム、静止画用の撮像システム、或いは動画と静止画の両方を撮像する撮像システムの何れにも適用できる。以下では、本発明の撮像システムの一例として動画の撮像及び静止画の撮像が可能なデジタルビデオカメラの例を説明する。以下に説明するデジタルビデオカメラには、撮像シーンを推定するためにデジタルビデオカメラの外部から取得した情報（後述の推定用情報）を用いて撮像動作や撮像した画像の処理（信号処理）を行う第１の動作モードと、該推定用情報を用いずに撮像動作や信号処理の制御を行う第２の動作モードがあり、これらの動作モードを切換できるようになっている。
【００１２】
図１は、本発明の実施形態１に係るデジタルビデオカメラ１の構成を示すブロック図である。デジタルビデオカメラ１は、同図に示すように、デジタル信号処理回路１０（図中ではＤＳＰと略記）、ＣＰＵ２０、ＳＤＲＡＭ３０、ＳＤカード４０、表示装置４１（図中ではＬＣＤと略記）、外部情報インターフェース７０、及び撮像モジュール５０を備えている。以下では、デジタルビデオカメラ１の各構成要素について説明する。
【００１３】
〈表示装置４１〉
本実施形態の表示装置４１は、液晶ディスプレイにより構成され、撮像した画像のプレビューや、デジタルビデオカメラ１の設定を行う際のメニュー表示や、いわゆるＯＳＤ（On Screen Display）に使用される。
【００１４】
〈撮像モジュール５０〉
撮像モジュール５０は、レンズ５１、タイミングジェネレータ５２、及びイメージセンサ５３を備えている。レンズ５１は、被写体からの光をイメージセンサ５３上に結像させる。また、タイミングジェネレータ５２は、イメージセンサ５３を駆動するのに必要な制御信号を生成する。イメージセンサ５３は、本発明の固体撮像装置の一例である。本実施形態のイメージセンサ５３は、いわゆるＭＯＳイメージセンサである。図示は省略するが、イメージセンサ５３は、複数の画素が二次元状に配置された画素アレイを備えている。画素アレイでは、それぞれの画素が光電変換を行って、レンズ５１からの入射光を電荷に変換している。そして、イメージセンサ５３は、各画素の信号をＡ/Ｄ変換して撮像信号Ｓ１としてデジタル信号処理回路１０へ出力する。なお、イメージセンサ５３には２つの動作モードがある。一方の動作モードは、それぞれの画素からの信号（アナログ信号）をデジタル化した画素データで構成された画像（原画像データ）を撮像信号Ｓ１として出力する動作モードである。また、もう一方の動作モードは、複数の画素からの画素データを混合した混合画素データで構成された減数画像データを撮像信号Ｓ１として出力する動作モード（以下、画素混合モード）である。
【００１５】
〈ＳＤＲＡＭ３０〉
ＳＤＲＡＭ３０は、デジタル信号処理回路１０での信号処理（後述）において、処理中の信号（データ）を一時的に保持するためなどに使用される記録媒体である。
【００１６】
〈デジタル信号処理回路１０（ＤＳＰ）〉
デジタル信号処理回路１０は、メモリコントローラ１１、レベル検出部１２、ＹＣ処理部１３、圧縮処理部１４、及びデジタル信号処理部１５を備え、イメージセンサ５３からの出力（撮像信号Ｓ１）を処理する。デジタル信号処理回路１０は、本発明の信号処理部の一例である。
【００１７】
-メモリコントローラ１１-
メモリコントローラ１１は、レベル検出部１２、ＹＣ処理部１３、圧縮処理部１４、及びデジタル信号処理部１５（以下これらの各部を総称して機能ブロックと呼ぶ）のそれぞれと、ＳＤＲＡＭ３０との間のデータの転送（ＳＤＲＡＭ３０からの読出しや書き込み）を行う。デジタル信号処理回路１０では、それぞれの機能ブロックにおける処理に必要な画素数分の撮像信号Ｓ１が揃うまで、ＳＤＲＡＭ３０に撮像信号Ｓ１を書き込むことで保持する。そして、必要な画素数分の撮像信号Ｓ１が揃うと、メモリコントローラ１１は適宜必要に応じ、ＳＤＲＡＭ３０から撮像信号Ｓ１を読み出し、撮像信号Ｓ１を必要とする機能ブロックに出力する。また、デジタルビデオカメラ１では、撮像信号Ｓ１だけでなく、ＹＣ処理部１３で処理されることで得られる輝度信号や色信号（Ｒ，Ｇ，Ｂの各信号）、さらには圧縮処理部１４で処理されることで得られる符号データ等もＳＤＲＡＭ３０に記録される。そのため、メモリコントローラ１１は、これらの種類のデータや信号の読出しや書き込みも行う。
【００１８】
-レベル検出部１２-
レベル検出部１２は、撮像信号Ｓ１のレベルを検出し、該撮像信号Ｓ１のレベルをＣＰＵ２０に通知する。詳しくは、このレベル検出部１２は、撮像モジュール５０から出力される撮像信号Ｓ１について、イメージセンサ５３の画面全体、或いは一部分の平均値等から、撮像信号Ｓ１のレベルを算出し、その算出結果をＣＰＵ２０に通知する。
【００１９】
-ＹＣ処理部１３-
ＹＣ処理部１３は、撮像信号Ｓ１に対して実際に信号処理を行う機能ブロックである。具体的に、ＹＣ処理部１３は、所定の画像処理用のパラメータを用いて、同時化、フィルタリング処理、周波数補正等を行うとともに、輝度信号と色差信号（以下これらの信号をまとめてＹＣ信号Ｓ２と呼ぶ）を生成する。ＹＣ信号Ｓ２は、本発明の画像信号の一例である。なお、デジタル信号処理回路１０は、前記ＹＣ信号Ｓ２の代わりに、画像信号として、色信号や、イメージセンサ５３に入射した光に応じたレベル出力などを取り扱うように構成してもよい。
【００２０】
デジタルビデオカメラ１では、複数種類の前記パラメータを記憶したテーブル（パラメータテーブル）が用意されており、ＹＣ処理部１３は、ＣＰＵ２０の制御に応じ、パラメータテーブル内のパラメータを用いて撮像信号Ｓ１に信号処理を行う。このパラメータテーブルでは、複数種類の撮像シーンのそれぞれに対して前記パラメータが対応付けられている。実施形態１での撮像シーンとは撮像が行われる文化圏を意味し、パラメータテーブルには、地域（文化圏）とその地域に適したパラメータが対応付けられている。パラメータテーブルをこのような構成にするのは、文化圏によって好まれる画質（色再現など）が異なる傾向にあるからである。例えば、日本向けの画像処理では肌を血色がよい色合い（この地域では健康的と考えられている）に仕上げた画像が好まれる場合が多い。しかしながら、アメリカ等ではそのような色再現は好まれない場合が多いので、地域毎に、当該地域で好まれる画像処理を行うパラメータをパラメータテーブルに設定する。なお、パラメータテーブルは、ＹＣ処理部１３が保持しておいてもよいし、ＣＰＵ２０が保持したり、不揮発性の記憶媒体を別途設けて保持したりすることが可能である。
【００２１】
-圧縮処理部１４-
圧縮処理部１４は、ＹＣ信号Ｓ２（輝度信号や色差信号）を所定のフォーマットに従って圧縮する。具体的には、例えば、静止画ならばＪＰＥＧのフォーマットに従い、動画ならばＨ．２６４等のフォーマットに従ってデータ量の圧縮を行う。
【００２２】
-デジタル信号処理部１５-
デジタル信号処理部１５は、画角サイズの調整のための拡大縮小処理（いわゆるズーム処理）、傷補正、照明光色温度検出等のデジタルビデオカメラとしての動作に必要な信号処理を行う。さらに、デジタル信号処理部１５は、装着されているＳＤカード４０に対して、データの読み込み及び書き出しを行う。また、さらに、デジタル信号処理部１５は、表示媒体であるＬＣＤ４１に対してプレビュー等の画像を表示する。
【００２３】
〈ＳＤカード４０〉
ＳＤカード４０は、ＹＣ信号Ｓ２（画像信号）を所定のフォーマットで記録するとともに、地図情報を格納した記録媒体である。本実施形態では、ＳＤカード４０には、ＳＤメモリーカードを採用している。勿論、ＳＤカード４０には、他の種類の記録媒体の採用が可能である。
【００２４】
〈外部情報インターフェース７０〉
外部情報インターフェース７０は、本発明の情報取得部の一例であり、撮像シーンを推定するための推定用情報Ｓ４を取得する。本実施形態では、外部情報インターフェース７０には、計時機能とカレンダー機能を有して日時情報（時刻及び日付）を出力する時計８０と、位置情報を取得するための全地球測位システム８１（図１ではＧＰＳと略記）とが接続され、推定用情報Ｓ４として日時情報と位置情報（以下、これらの情報を含め、外部情報インターフェース７０に入力される情報を外部情報ともよぶ）を取得し、取得したこれらの情報をＣＰＵ２０に送信するようになっている。なお、時計８０は、カレンダー機能を有しており、現在の日付の情報も外部情報インターフェース７０に出力する。
【００２５】
〈ＣＰＵ２０〉
ＣＰＵ２０は、本発明の制御部の一例であり、撮像動作の制御や、デジタル信号処理回路１０における信号処理の制御を行う。例えば撮影時には、ＣＰＵ２０は、デジタルビデオカメラ１がユーザの期待する動作を実現するのに必要な制御信号を、撮像モジュール５０（イメージセンサ５３）、及びデジタル信号処理回路１０の各機能ブロックに出力する。例えば、ＣＰＵ２０は、イメージセンサ５３から原画像データ、及び減数画像データの何れを出力するかの切り替えを制御する。また、ＣＰＵ２０は、撮影者がデジタルビデオカメラ１を購入した直後に行った電源投入により、デジタル信号処理回路１０や撮像モジュール５０の初期設定を行う。なお、初期設定については後に詳述する。
【００２６】
ＣＰＵ２０がこのような撮像動作や信号処理の制御等を行えるようにするため、ＣＰＵ２０には、レリーズボタンやデジタルビデオカメラ１の動作を設定するための信号（外部入力Ｓ３）が外部から入力されると共に、外部情報インターフェース７０からの情報（推定用情報Ｓ４）も入力されている。ＣＰＵ２０は、これらの情報を適宜利用して前記制御を行うのである（詳細な動作は後述）。なお、デジタルビデオカメラ１では、前記第１の動作モードと第２の動作モードの切換を外部入力Ｓ３により行う。
【００２７】
《デジタルビデオカメラ１の動作》
〈動作の概要〉
デジタルビデオカメラ１で撮影を行うと、被写体からの光は、レンズ５１を通してイメージセンサ５３に入光し、イメージセンサ５３上の画素において光電変換される。ＣＰＵ２０は、このときの露光量の制御や撮像モジュール５０の動作モードの制御などの撮像動作の制御を行う。イメージセンサ５３は、光電変換した信号を撮像信号Ｓ１としてデジタル信号処理回路１０へ出力する。また、ＣＰＵ２０は、所定の制御信号をメモリコントローラ１１やデジタル信号処理回路１０の各機能ブロックに出力する。これにより、メモリコントローラ１１がＳＤＲＡＭ３０への撮像信号Ｓ１の書き込みや、ＳＤＲＡＭ３０からの読み出し行い、レベル検出部１２、ＹＣ処理部１３、圧縮処理部１４、デジタル信号処理部１５、ＳＤカード４０、ＬＣＤ４１に対して、信号の入出力が実現される。また、デジタル信号処理回路１０では、ＹＣ処理部１３が、ＣＰＵ２０の制御に応じて、入力された撮像信号Ｓ１に所定の信号処理を行い、処理結果であるＹＣ信号Ｓ２（画像信号）を、記録媒体として装着されているＳＤカード４０に記録したり、表示媒体であるＬＣＤ４１に表示したりする。
【００２８】
ここで、外部入力Ｓ３によって第２の動作モードが選択されている場合には、ＣＰＵ２０は、外部情報インターフェース７０を介して取得した推定用情報（外部情報）を使用せず、例えば被写体から得られる情報やユーザの設定にしたがって、前記撮像動作の制御やデジタル信号処理回路１０における信号処理の制御を行う。
【００２９】
〈第１の動作モード（外部情報を用いた画像処理）〉
次に、デジタルビデオカメラ１の特徴である、外部情報を用いた画像処理、すなわち第１の動作モードについて説明する。デジタルビデオカメラ１では、ユーザが購入の直後に行った電源投入によりＣＰＵ２０が初期設定を行う。具体的には、ＣＰＵ２０は、ＧＰＳ８１から得た外部情報を基に初期設定時の位置情報（初期位置情報）を記録する。また、ＣＰＵ２０は、ＳＤカード４０に格納されている地図情報と前記初期位置情報とを照合してユーザ（撮影者）の言語圏に適切な言語を選択し、デジタルビデオカメラ１の設定を行う際にユーザが使用するメニューの言語等に使用する。また、ＣＰＵ２０は、前記パラメータテーブルから前記初期位置情報に対応した画像処理用パラメータを選択し、選択結果（制御信号）を該ＹＣ処理部１３に送信する。すなわち、ＣＰＵ２０は、前記初期位置情報に基づいて、撮影者の文化圏（撮像シーン）を推定するのである。さらに、ＣＰＵ２０は、ＧＰＳ８１から得た時間情報と、初期位置情報を基に、デジタルビデオカメラ１の時計８０に、撮影者の現地時間と日時の設定を行う。
【００３０】
初期設定の後、撮影者が外部入力Ｓ３を介してシャッタ押下による撮影をデジタルビデオカメラ１に通知することで、デジタルビデオカメラ１では、静止画、或いは動画の撮影が行われる。その際にＣＰＵ２０は、前記初期位置情報から選択した画像処理用のパラメータをＹＣ処理部１３に通知する。ＹＣ処理部１３はそのパラメータにしたがって、撮像信号Ｓ１に対して、同時化、フィルタリング処理、周波数補正等を行ってＹＣ信号Ｓ２（画像信号）を出力する。
【００３１】
《本実施形態における効果》
以上のように、デジタルビデオカメラ１では、初期設定時の位置情報に基づいて、画像処理用のパラメータが選択される。すなわち、デジタルビデオカメラ１では、撮影者が画像処理方法を一々選択する必要がない。そして、ＣＰＵ２０が選択した画像処理用のパラメータは、撮影者の文化圏に対応しているので、撮影者にとって好ましいと考えられる色再現を行った画像処理結果（ＹＣ信号Ｓ２）を得ることが可能になる。すなわち、本実施形態によれば、撮影者に煩雑な操作を要求することなく、容易に好ましい画像処理結果を得る環境を提供することが可能になる。
【００３２】
《実施形態１の変形例》
〈１〉前記初期位置情報は不揮発性の記憶媒体に保持しておく形態でもよい。このようにすれば、撮影者が誤った操作によりデジタルビデオカメラ１に対して意図しない初期設定動作を実施した際に、初期位置情報を修復できる。そして、このように初期位置情報を保護することで、誤った画像処理用のパラメータが選択されるのを防止することが可能になり、ＹＣ処理部１３による信号処理が好ましくない画像処理結果となることを回避することが可能になる。
【００３３】
〈２〉また、初期位置情報を手動で設定する仕組みを別途設けておいてもよい。このようにすれば、例えば、電源投入時に設定された初期位置情報が遠隔地で破損した場合等でも、撮影者が正しい初期位置情報を再設定することが可能になる。さらに、撮影結果を他の文化圏の鑑賞者に提示することを意図して、意図的に鑑賞者の位置情報を、初期位置情報とすることで、鑑賞者にとって好ましい画像処理が行われた画像を提示することが可能になる。
【００３４】
また、初期位置情報に加えてさらに複数の位置情報を記憶できるようにし、画像処理を行う際に、ＹＣ処理部１３に対して記憶した位置情報に対応した画像処理用のパラメータを必要な種類だけ通知し、それぞれ別個のパラメータで処理した画像信号を２種類以上保存するようにしてもよい。このようにすることで、撮影者以外の鑑賞者が複数存在するような場合に、それぞれの鑑賞者に対して好ましい画像処理結果（画像信号）を提供することが可能になる。また、保存する２種類以上の画像処理結果が、例えば静止画であるような場合は、公知のマルチピクチャーフォーマット（ＣＩＰＡの提唱規格）のような複数枚数の静止画を一つのファイルとしてあつかえるファイルフォーマットにしてまとめてもよい。
【００３５】
また、２種類以上の画像処理結果を保存する代わりに、例えば画像データのビット精度が十分大きいデータを１種類保存しておいて、画像の再生や、画像データの移動時に、所望の位置情報に対応した画像処理パラメータで再度処理しなおすようにしてもよい。また、撮影結果のデータをＲａｗデータとして保存しておいて、初期位置情報を付加情報として、鑑賞者が鑑賞に使用する機器に通知し、再生時に画像処理を行うような形態であってもよい。このようにすれば、デジタルビデオカメラ１内に保存しておく画像のデータサイズを小さくすることが可能になるので、画像のデータを保存するための記憶媒体（例えばＳＤカード４０）を有効に活用することが可能になる。
【００３６】
〈３〉地図情報は、ＳＤカード４０に記録する代わりに、デジタルビデオカメラ１内に別途ＲＯＭ等を用意し、そこに地図情報を記録する形態としてもよい。デジタルビデオカメラ１内に地図情報を記録する場合は、精度が荒い地図情報としておいてもよい。こうすることで、使用する内部のメモリサイズの軽減し、コストの増大を低減できる。また、ＳＤカード４０に地図情報を記憶させるような場合でも、使用する記憶容量の軽減のために、精度が荒い地図情報としておいてもよい。
【００３７】
また、デジタルビデオカメラ１内部と外部記録媒体であるＳＤカード４０の両方に地図情報を記憶させる形態であってもよい。このような場合は、デジタルビデオカメラ１内には精度の荒い地図情報を記憶しておき、外部記録媒体であるＳＤカード４０には、予め撮影者が撮影を想定している地域の詳細な地図情報を記憶しておくようにすれば、必要な地図情報の精度を確保しつつ、地図情報により消費される記憶容量の軽減を図ることが可能になる。
【００３８】
〈４〉例えばカナダのように、複数の言語圏（複数の公用語）が存在するような場合は、複数の言語を選択できるようにしておいてもよい。また、複数の言語圏の中間に位置するような場合には、複数の言語圏の言語を組み合わせたものの中から選択できるようにしてもよい。このようにすれば、撮影者にとって、より使いやすい環境を提供することが可能になる。また、言語選択が行われる前のＯＳＤには、位置情報の取得等の初期設定が完了するまで例えば砂時計を表示するなど、言語に依存せず直感的に判断することが可能なアイコンを表示することで、待ち時間による撮影者のストレスを軽減することが可能になる。
【００３９】
〈５〉前記パラメータテーブルには、想定される全ての地域のパターンを保持しておいてもよいし、基準位置に対して離散的にそのパラメータを保持しておくようにして、初期設定時の位置情報と離散的に保持されているパラメータの基準位置の情報から画像処理用のパラメータを算出するようにしておいてもよい。例えば、距離に応じた重み付け加算等が演算のコストや実装の面などからも好適である。基準位置は、地図情報に対して等間隔に保持されていてもよいし、人口の多い地域のみ保持しておいてもよいし、人口の密度に応じた間隔で保持されていてもよい。
【００４０】
《発明の実施形態２》
次に本発明の実施形態２に係るデジタルビデオカメラについて説明する。実施形態２のデジタルビデオカメラは、実施形態１のデジタルビデオカメラ１と同様に第１及び第２の動作モードを有しているが、第１の動作モードでは、前記外部情報によりデジタルビデオカメラにおける撮像の制御を行うという点で実施形態１のデジタルビデオカメラ１と相違している。具体的に本実施形態のデジタルビデオカメラは、撮像に人工光源が使用されていることが推定される場合に人工光源の種類の推定を行い、その推定結果に基づいて撮像の制御を行う。本実施形態でも撮影を行う基本機能に関しては実施形態１のデジタルビデオカメラと同様なので、以下では実施形態１のデジタルビデオカメラ１との差異についてのみ説明を行なう。
【００４１】
本実施形態のＣＰＵ２０は、第１の動作モードにおいて、撮像時の光源を推定するとともに、推定結果に基づいて、ストロボ（補助発光装置）の発光、露光時間、レンズ５１の絞りの開放量（絞り値）、イメージセンサ５３の動作モード、ＩＳＯ感度などの撮像の制御を行うようになっている。ＣＰＵ２０は、光源の種類の推定を以下のように行う。例えば、屋内などにおいて、ＧＰＳ８１が測位用の衛星と通信が不可能な状況においては、ＧＰＳ８１から位置情報を得ることができない。このような場合は、撮影者が室内などの、自然光ではなく人工光源が被写体に対して支配的な照明光となっている位置に存在することが推定できる。人工光源は地域により種類に偏りが存在する傾向があるので、撮影位置が分かれば、照明光の測定によって人工光源を推定する方法と比べ、人工光源の種類をより正確かつ素早く推定することが可能になる。具体的には、本実施形態のＣＰＵ２０は、位置情報と日時情報とを所定の間隔で記憶するようになっており、記憶したこれらの情報と、現在の位置情報及び日時情報を用いて撮像時の光源の種類を推定する。
【００４２】
例えば、ＧＰＳ８１が測位用の衛星と通信が不可能な状況になって撮影者が室内、或いは自然光ではなく人工光源が被写体に対して支配的な照明光となっている位置に存在することが推定できる場合には、ＣＰＵ２０は、測位用の衛星とのリンクがＧＰＳ８１において失われる直前の時間情報と、実際に撮影が行われる際の時間情報と比較を行う。比較の結果、２つの時間情報の間隔が十分広い場合には、ＣＰＵ２０は、公知の技術である、イメージセンサ５３や照明光色温度を測定するデバイスを使用した照明光の測定を行う。また、２つの時間情報の間隔が十分狭い場合には、測位用の衛星とのリンクが失われる直前の位置と、撮影者の現在の位置が大きく離れていないことが推定できる。そこで、ＣＰＵ２０は、撮像信号に基づいた光源推定とともに、測位用の衛星とのリンクが失われる直前の位置情報を使用して光源推定を行う。撮像信号に基づいた光源推定では、例えば被写体の無彩色の部分を推定し、無彩色と推定された部分が無彩色になるように画像処理用パラメータを算出する。また、直前の位置情報を使用した光源推定では、その地域（位置情報）における人工照明の使用傾向に基づいて光源推定を行って画像処理用パラメータを算出する。そして、使用される人工照明の種類に特色を有した地域で撮影された場合には、直前の位置情報を使用した光源推定の結果を優先的に採用する。具体的には、直前の位置情報を使用した光源推定の結果寄りに重みをつけた画像処理用パラメータを用いて信号処理を行う。撮像信号に基づいた光源推定のみでは、例えば、蛍光灯下で撮影した赤い被写体か、白熱球下で撮影した無彩色の被写体かの判断が難しい場合があるが、撮像信号に基づいての光源推定を行いつつ、直前の位置情報を使用した光源推定の方に重みをつけることで、より好ましい画像信号が得られるのである。例えば、白熱球の多い地域（例えばアメリカ等）で撮影が行われたと推定された場合には、直前の位置情報を使用した光源推定の結果を優先的に採用し、白熱球が光源であると推定する。同様に、電化の進んでいない地域などで撮影が行われたと推定された時は、蝋燭や自然光の漏れこみなどを光源として推定する。このように本実施形態では、光源の推定結果を精度よく、かつ早く出すことが可能になる。
【００４３】
また、測位用の衛星とのリンクが失われていない場合には、撮影者が屋外に存在することが推定できる。この場合には、撮影時の時間情報を使用することで、自然光用の照明光色温度を推定することができる。例えば、朝焼け時、日中、夕焼け等時間帯に応じた照明光の推定を行う。また、日没より明らかに遅い時間であれば、ストロボ発光を推奨したり、或いはシャッタスピードを制御してイメージセンサ５３の露光時間を延長したり、レンズ５１の絞りの開放量を調整したり、イメージセンサ５３の画素を混合して読み出すことで高感度撮影を行ったり、ＩＳＯ感度を上げるようにＯＳＤによりＬＣＤ４１に表示して撮影者に通知したりすることで、撮影者が好ましい撮影結果が得られるように露光量の制御の補助を行う。
【００４４】
《本実施形態における効果》
以上のように、本実施形態では、位置情報や日時情報に基づいて、撮影時の人工光源の種類や自然光の状態を効率的に推定することが可能になる。すなわち、本実施形態のデジタルビデオカメラでは、種々の撮像シーン（この例では、撮影時の人工光源の種類や自然光の状態）において、より最適な撮像の制御が行われる。したがって、本実施形態によれば、撮影者に煩雑な操作を要求することなく、容易に好ましい画像処理結果を得る環境を提供することが可能になる。
【００４５】
《実施形態２の変形例》
〈１〉実施形態２では測位用の衛星とのリンクが失われる直前の時間情報と実際に撮影が行われる時間情報の２つの時間情報の間隔によって、２つの推定方法（地域による推定と、イメージセンサ５３等を用いた推定（測定））を切り替える形態としたが、両方の方法で推定を行い、前記２つの時間間隔に応じてそれぞれの推定結果に重みを付けて推定する形態でもよい。
【００４６】
〈２〉光源が蛍光灯であると推定される場合には、フリッカ補正を行うために商用電源の周波数の推定を行ってもよい。例えば、商用電源が５０Ｈｚ地帯と６０Ｈｚ地帯であるかどうかを位置情報により推定すれば、イメージセンサ５３の露光時間の制御を、商用電源が５０Ｈｚ地帯用の制御にするか、６０Ｈｚ地帯用の制御にするかを容易に切り替えることが可能になる。
【００４７】
〈３〉測位用の衛星とのリンクが失われる直前の位置情報と、再度測位用の衛星とリンクが確立できた位置情報の距離に応じて、ＣＰＵ２０がデジタルビデオカメラの制御を行ってもよい。例えば、２つの距離が十分離れており、航空機を使用した移動が推定された場合は、高高度にデジタルビデオカメラが存在していたことにより、α線の影響でイメージセンサ５３の光電変換部（画素）が破壊されている可能性がある。そこで、再度測位用の衛星とリンクが確立できた時点で、イメージセンサ５３の欠陥画素検出と登録を行い、撮影の際の画像処理時に欠陥画素として補正を行うような形態としてもよい。
【００４８】
《発明の実施形態３》
次に実施形態３に係るデジタルビデオカメラについて説明する。実施形態３のデジタルビデオカメラは、ＧＰＳ８１等の測位による位置情報を取得する手段を持たないという点が実施形態１のデジタルビデオカメラ１と相違している。なお、実施形態１のデジタルビデオカメラ１と同様に第１及び第２の動作モードを有し、撮影を行う基本機能に関しては、実施形態１のデジタルビデオカメラと同様である。以下では、デジタルビデオカメラ１との差異を中心に説明を行なう。
【００４９】
本実施形態においては、外部情報インターフェース７０には、ＧＰＳ８１は接続されていないが、その代わりに、デジタルビデオカメラのバッテリー（不図示）に搭載されている認識タグから読み取られた情報が通信されている。ＣＰＵ２０は、外部情報インターフェース７０を介して前記認識タグの情報を取得し、前記初期位置情報の設定を行うようになっている。バッテリーに搭載されている認識タグには、バッテリー固体の識別情報の他に、バッテリーを販売する地域の情報が予め埋め込まれており、撮影者が撮影時にバッテリーを着用（交換）した時点で、バッテリーを販売する地域の情報を外部情報インターフェース７０が取得しＣＰＵ２０に通知する。ＣＰＵ２０は、第１の動作モードにおいて、前記パラメータテーブルの中から、該当地域に相当する画像処理用のパラメータを選択してＹＣ処理部１３に通知し、ＹＣ処理部１３は、そのパラメータに基づいて画像処理を行う。
【００５０】
《本実施形態における効果》
以上のように、本実施形態では撮影時の位置情報をリアルタイムに更新する手段を持たないが、バッテリーに備えられている認識タグの情報に基づいて、撮影者に好ましい処理結果を得ることが可能になる。すなわち、本実施形態によれば、測位にコストをかけずに、且つ撮影者に煩雑な操作を要求することなく、容易に好ましい画像処理結果を得る環境を提供することが可能になる。
【００５１】
《実施形態３の変形例》
〈１〉バッテリーに付属した認識タグのほかにも、例えば、デジタルビデオカメラに接続される各種の機器である、レンズや、フラッシュなどの外部光源などに情報タグが供えられている場合には、その情報タグの情報を使用して位置情報を取得してもよい。また、複数の地域が検出された場合は、最も多いものを初期設定時の位置情報としてもよい。さらに、撮影時に直接接続される機器ではなく、パーソナルコンピュータ等からも情報を取得する形態であってもよい。
【００５２】
〈２〉位置情報は、初期設定時に取得するほかに、バッテリーを充電する際（例えば、デジタルビデオカメラに外部電源を接続した時点）に接続される商用電源によって、現在の撮影位置を推定するようにしてもよい。この場合は、バッテリーの認識タグの情報に、充電される毎に更新される記憶領域を備えておき、接続される商用電源の種類を判定して、その情報を充電される毎に更新される記憶領域に対して書き込むようにしておく。そして、外部情報インターフェース７０は、デジタルビデオカメラにバッテリーが接続される際に、初期設定時の位置情報と合わせて、充電される毎に更新される記憶領域から情報をＣＰＵ２０に通知するようにしておく。また、ＣＰＵ２０は、商用電源から位置情報を推定し、推定した位置情報から撮影者に好ましい画像処理用のパラメータを選択し、選択したパラメータを制御信号としてＹＣ処理部１３に通知する。なお、ＣＰＵ２０は、充電される毎に更新される記憶領域から得られた情報に基づいて、被写体の照明などの撮影条件を推定する形態としてもよい。
【００５３】
《発明の実施形態４》
次に実施形態４に係るデジタルビデオカメラについて説明する。実施形態４のデジタルビデオカメラは、デジタルビデオカメラが携帯電話の機能の一部として組み込まれている点で実施形態１のデジタルビデオカメラ１と相違している。本実施形態のデジタルビデオカメラも、実施形態１のデジタルビデオカメラ１と同様に第１及び第２の動作モードを有し、撮影を行う機能に関しては、デジタルビデオカメラ１と同様なので、以下差異についてのみ説明を行なう。
【００５４】
本実施形態では、外部情報インターフェース７０には、前記携帯電話が基地局と通信した情報が入力されている。一般的に基地局と通信した情報には、位置を示す情報が含まれている。本実施形態のＣＰＵ２０は、外部情報インターフェース７０を通じて撮影者の位置情報を確認する。例えば、屋内などにおいて、基地局から通知される、基地局の位置情報を用いて撮影時の位置情報を取得するのである。特に基地との通信が、屋内用のリピータ等により実現している場合には、デジタルビデオカメラの動作を、実施の形態２に示したような屋内の撮影用の処理に切り替えを行う。
【００５５】
《本実施形態における効果》
以上のように、本実施形態では位置情報を検出する手段をデジタルビデオカメラ内に設けることなく、位置情報を得ることができ、撮影者に好ましい処理結果を得ることが可能になる。すなわち、本実施形態によれば、測位にコストをかけずに、且つ撮影者に煩雑な操作を要求することなく、容易に好ましい画像処理結果を得る環境を提供することが可能になる。
【００５６】
《実施形態４の変形例》
〈１〉携帯電話から得られる情報が屋内用のリピータからのものである場合には、設置されている施設を識別可能な場合があるので、その施設で多用されている光源を被写体の照明光として推定してもよい。また、施設内であれば、特定のエリアにおいて、撮影自体を行えないように、ＣＰＵ２０で制御を行ってもよいし、或いは圧縮処理部１４において画像データを圧縮する際の圧縮率を極端に上げることで、意図的に被写体が認識しにくい撮影結果を得るようにしてもよい。また、施設内の特定のエリアにおいて、外部発光装置の発光制御やシャッタ音の音量を制御するような形態であってもよい。
【００５７】
〈２〉また、前記基地局を経由してインターネットに接続することで得られる情報を用いて撮像の制御や信号処理の制御を行ってもよい。例えば、ある特定の被写体が撮影できるような場所であると推定できる場合は、その情報をＬＣＤ４１上にＯＳＤで表示してもよいし、撮影のタイミングを通知してもよい。特に、被写体が撮影可能な状態になるタイミングが事前に判明しているような場合は、撮影タイミングの通知だけではなく、そのタイミングに合わせて撮影を行ったり、そのタイミングの一定期間前から周期的に撮影を行ったり、被写体を認識して撮影を行ったりするような形態であってもよい。被写体の認識に合わせて、レンズ５１の合焦度を制御する場合には、撮像信号Ｓ１から得られる高周波成分の検波結果のみ、或いは、撮影者の位置と被写体の大まかな位置から得られる大まかな距離と前記検波結果とを組み合わせて、レンズ５１の焦点距離を制御するとよい。このようにすることで、レンズ５１の焦点距離を迅速、かつ正確に行うことが可能になる。
【００５８】
〈３〉静止画を撮影するような場合は、撮影間隔が大きくなることが多いので、動画データと撮影しておき、撮影者が撮影結果の動画データから所望のコマを抜き出すような形態としてもよいし、動画データの所望のコマの前後の動画データを使用して解像度を改善した静止画を得られる形態としてもよい。また、撮影タイミングだけでなく、他の撮影者が事前に撮影した際の撮影パラメータを基地局との通信を通じて、デジタルビデオカメラに通知して画像処理を行う形態としてもよい。こうすることで、撮影者が撮影に関して高い技術や知識を有していなくても、より好ましい撮影結果を得ることが可能になる。
【００５９】
〈４〉また、基地局から通信されてくる情報に、日時情報を取得するための時計８０と、位置情報を取得するためのＧＰＳ８１との情報を組み合わせて、デジタルビデオカメラの撮像の制御を行ってもよい。例えば、天候情報などが基地局を通じて通知される場合は、通知された晴天、曇天、雨天などの天候情報に基づいて、被写体の光源を推定してもよい。特に、撮影場所が、位置情報、時間情報、日付の情報（時計８０のカレンダー機能）、天候情報等から夏の浜辺や冬の雪山等と推定できる場合においては、イメージセンサ５３に入射する光量の制御を調整するような形態であってもよい。また、天候情報などから得られる温度の情報に基づいて、事前にイメージセンサ５３に傷を登録した際の温度情報と大きく異なる場合には、再度イメージセンサ５３の傷情報を登録しておくようにしておいてもよい。こうすることで、高温時に顕著化するイメージセンサ５３の傷やノイズの劣化等に対応することが可能になる。また、ＹＣ処理部１３に備えられているノイズ低減のためのノイズリダクション用の画像処理の強度（具体的には、画像処理用パラメータの設定）を温度情報に応じて変化させる形態であってもよい。
【００６０】
〈５〉また、撮影する場所をデジタルビデオカメラに事前に設定しておくことで、撮影場所に撮影者が位置した場合に、自動的に撮影を開始してもよいし、リマインダーとして撮影者に撮影のポイントであることを通知するようにしてもよい。さらに、事前に登録された撮影の場所と天気予報などの情報と組み合わせることで、より好ましい撮影結果を得るために撮影時に必要な機材である、レンズや光学フィルタなどを事前に撮影者に対して通知する形態であってもよい。
【００６１】
〈６〉また、光学手振れ補正に使用されるジャイロ（不図示）と、位置情報と時間情報を組み合わせる方式であってもよい、例えば、空を撮影するような場合、ジャイロにより画角が空を向いているのか、人物などの地上の被写体の撮影をしているのかを判別できる。また、時間と位置が分かれば、夕焼けか、青空か、夜空かを判定することが可能になるので、例えば、画像処理において夕焼けの赤い色や青空の青い色などを保持するような画像処理を実現してもよい。例えば、夜空を撮影するような場合は、基地局から通知される情報から、星座等の情報を撮影者に通知したり、デジタルビデオカメラの露光方法を長時間露光に切り替えたりしてもよい。特に、露光方法を長時間露光に切り替えたような場合は、暗電流成分の蓄積やイメージセンサ５３の傷が顕著になるので、イメージセンサ５３の傷などを補正するためのデータを生成し、画像処理の際に使用する形態であってもよい。暗電流成分とイメージセンサ５３の傷を補正するためのデータは、具体的には、長時間露光撮影の前あるいは後に、暗電流成分を補正するためにシャッタを閉じた状態で長時間の撮影を行ったデータを取得して生成しておくとよい。また、撮影対象が樹木であるのか否か、人工の建築物が占める割合などを推定してもよい。
【００６２】
《発明の実施形態５》
次に実施形態５に係るデジタルビデオカメラについて説明する。本実施形態のデジタルビデオカメラは、位置情報の取得タイミングが前記の各実施形態や変形例とは異なっている。ただし、本実施形態のデジタルビデオカメラも、実施形態１のデジタルビデオカメラ１と同様に第１及び第２の動作モードを有し、撮影を行う基本機能に関してはデジタルビデオカメラ１等と同様である。すなわち、第１の動作モードでは、ＣＰＵ２０が外部情報インターフェース７０から得られる情報により、画像処理用のパラメータ設定に加え、デジタルビデオカメラの動作制御も行う。具体的には、外部情報インターフェース７０には、日時情報を取得するための時計８０と、位置情報を取得するためのＧＰＳ８１とが接続されており、日時情報と位置情報がＣＰＵ２０に通信されている。また、実施形態４のデジタルビデオカメラのように、基地局との通信手段を有しており、外部情報インターフェース７０には、基地局と通信した情報が通知されている。ＣＰＵ２０は、第１の動作モードでは、基地局と通信した情報も利用して画像処理用のパラメータ設定と動作制御を行う。すなわち、ＣＰＵ２０は、基地局との通信により得られた情報に対応した動作をデジタルビデオカメラが行うように制御信号を生成するのである。
【００６３】
次に、本実施形態の特徴である位置情報の取得タイミングについて説明する。本実施形態では、外部情報インターフェース７０は、撮影時の位置情報の取得を、撮影時のシャッタ押下のタイミングではなく、予め撮影者が設定したタイミングで行うようになっている。ＧＰＳ８１等の測位手段は、実際の位置を測定するための計算が煩雑なため、デジタルビデオカメラに搭載したＧＰＳ８１では、性能不足やバッテリーの残量保護のための省エネルギー動作のため、リアルタイムでその情報を取得するのが難しい場合が想定される。そこで、本実施形態では、外部情報インターフェース７０は、予め撮影者が設定したタイミングで周期的に位置情報を取得してＣＰＵ２０に通知し、ＣＰＵ２０は、第１の動作モードでは、周期的に外部情報インターフェース７０から通知される位置情報に基づいて画像処理や動作の制御を行う。
【００６４】
《本実施形態における効果》
以上のように、本実施形態では撮影時の位置情報をリアルタイムに更新しないため、バッテリーの消費量を抑えることが可能になる。また、ＧＰＳ８１の性能不足によって、撮影時にリアルタイムに測位ができないような場合にも、位置情報に基づいた画像処理や動作の制御が可能になる。
【００６５】
《実施形態５の変形例》
なお、位置情報の取得の周期は一定でもよいし、例えば、撮影の頻度をカウントしておき、単位時間あたりの撮影回数が所定の回数を超えた場合に、位置情報を取得する周期を短くし、単位時間当たりの撮影回数が所定の回数を下回った場合は、予め撮影者が設定した周期を限度に、位置情報を取得する周期を長くする形態であってもよい。
【００６６】
《発明の実施形態６》
次に実施形態６に係るデジタルビデオカメラについて説明する。実施形態６のデジタルビデオカメラは、撮影時の位置情報の取得タイミングが前記の各実施形態や変形例とは異なっている。なお、本実施形態のデジタルビデオカメラも、実施形態１のデジタルビデオカメラ１と同様に第１及び第２の動作モードを有し、撮影を行う基本機能に関しては、実施形態１などのデジタルビデオカメラと同様である。本実施形態でも第１の動作モードでは、ＣＰＵ２０が外部情報インターフェース７０から得られる情報により、画像処理用のパラメータ設定に加え、デジタルビデオカメラの動作制御も行う。また、実施形態４のデジタルビデオカメラのように、所定の基地局との通信手段を有しており、基地局と通信した情報も利用して画像処理用のパラメータ設定と動作制御を行う。具体的には、本実施形態においても、外部情報インターフェース７０には、日時情報を取得するための時計８０と、位置情報を取得するためのＧＰＳ８１とが接続されており、日時情報と位置情報がＣＰＵ２０に通信されている。さらに、外部情報インターフェース７０には、基地局と通信した情報が通知され、ＣＰＵ２０は、基地局との通信により得られた情報に対応した動作をデジタルビデオカメラが行われるように制御信号を生成する。
【００６７】
次に、本実施形態の特徴である位置情報の取得タイミングについて説明を行なう。本実施形態では、撮影時の位置情報の取得を、撮影時のシャッタ押下のタイミングではなく、デジタルビデオカメラにより撮影された結果を再生する際に行う。具体的には、ＣＰＵ２０は、外部情報インターフェース７０より通知された再生時の場所（例えば屋外や屋内）に応じて、最適な再生画像の色再現やγ補正等を行うようにする。例えば、再生時の環境において赤みの強い光源があるような場合は何もケアしなければ、赤みがかった状態で再生画像が鑑賞されることになるため、好ましい色の再現が行われているとはいえない。このような場合、鑑賞者は再生された画像に対して違和感を覚えることになる。そこで、ＣＰＵ２０は、再生時には、デジタル信号処理回路１０に対して、赤色を弱くするような画像を再生するように画像処理パラメータの変更を指示する制御信号を通信する。
【００６８】
《本実施形態における効果》
以上のように、本実施形態では、画像の再生時に、再生場所に応じた画像処理用のパラメータが選択される。それゆえ、本実施形態のデジタルビデオカメラでは、より好ましい色再現を実現することが可能になる。すなわち、本実施形態では、再生時や撮影結果の受け渡しにおいても、撮影環境に応じて、最適な再生画像の色再現を行うことが、撮影者に煩雑な操作を要求することなく可能になる。
【００６９】
《実施形態６の変形例》
〈１〉なお、再生時にもデジタルビデオカメラの撮影機能を駆動させて、再生環境における撮像データを撮影して、再生環境における照明光の状況を判断するための補助として使用する形態であってもよい。
【００７０】
〈２〉他の撮像装置で撮影された結果を再生する際には、予めＣＰＵ２０に対し、他の撮像装置の色再現のための色空間のプロファイル（例えば、ＡｄｏｂｅＲＧＢやｓＲＧＢなど）が通知されていると好適である。この場合、ＣＰＵ２０がそのプロファイルを元に、再生時の位置情報から得られた再生環境における照明光の状況を判断と組み合わせて、より好ましい色再現を行う形態であってもよい。
【００７１】
〈３〉再生時にＬＣＤ４１以外の表示デバイス（外部表示デバイス）が接続される場合には、外部表示デバイスの色再現のための色空間のプロファイル（例えば、ＡｄｏｂｅＲＧＢやｓＲＧＢなど）が通知されていると好適である。
【００７２】
〈４〉位置情報は、デジタルビデオカメラに記録された撮像データを、他の記録媒体に移動、或いはコピーする際に取得する形態であってもよい。これは、撮影したデータを第三者の観察者に譲渡する際などに、撮影結果が第三者の観察者にとって、より好ましい色再現として再生できるように、撮影したデータの移動、或いはコピーの時点の位置情報をもとに再度画像処理されるという形態となる。なお、再度画像処理を行わずに、色変換を行うための変換テーブルや、色空間のプロファイルなどを、移動（或いはコピー）するデータに付加するような形態であってもよい。
【産業上の利用可能性】
【００７３】
本発明は、撮影者に煩雑な操作を要求することなく、より最適な画像処理方法を選択することが可能になるという効果を有し、動画や静止画を撮像する撮像システム等として有用である。
【符号の説明】
【００７４】
１      デジタルビデオカメラ（撮像システム）
１０      デジタル信号処理回路（信号処理部）
２０      ＣＰＵ（制御部）
５３      イメージセンサ（固体撮像装置）
７０      外部情報インターフェース（情報取得部）
８０      時計
８１      ＧＰＳ（全地球測位システム）
Ｓ１      撮像信号
Ｓ２      ＹＣ信号（画像信号）
Ｓ４      推定用情報
【図１】
2011160026.tif 000003